(57)【特許請求の範囲】
【請求項１】
心線トレー本体と接続部保持部材とを別体とするとともに、心線トレー本体に、接続部保持部材が着脱自在に取り付けられており、且つ、接続部保持部材には、土手部を挟んで、小径の接続部用の接続部嵌入空間部が形成されているとともに、土手部の上方には、大径の接続部用の接続部嵌入空間部が形成されていることを特徴とする光ファイバ心線トレー。
【発明の詳細な説明】
【０００１】
【発明の属する技術分野】
本発明は、光ファイバ心線を収容するための光ファイバ心線トレーに関するものである。
【０００２】
【従来の技術】
従来、図７に示されているように、略長方形状の基台１’に光ファイバ心線Ｂの導入口２’が設けられ、且つ、基台１’上に、光ファイバ心線Ｂに対応した数の接続部保持部材３’が設けられている光ファイバ心線トレーＡ’が知られている。また、従来の光ファイバ心線トレーＡ’には、基台１’の周縁に沿って周壁４’が形成されており、この周壁４’に沿って、巻回された光ファイバ心線Ｂの余長部Ｂ１が配置されており、更に、周壁４’の上端部には、余長部Ｂ１が、光ファイバ心線トレーＡ’から飛び出さないように、心線係止部５’等が、適当数、延設されている。
【０００３】
上述した従来の光ファイバ心線トレーＡ’においては、光ファイバ心線Ｂの切替や切分け等の作業を行う場合には、作業対象の光ファイバ心線Ｂの接続部Ｃが保持されている接続部保持部材３’から接続部Ｃを取り外し、次いで、余長部Ｂ１から、所定長の光ファイバ心線Ｂを巻き戻すとともに、接続部Ｃの両端の光ファイバ心線Ｂを切除して、他の新しい光ファイバ心線Ｂを接続し、その後、接続部Ｃを元の接続部保持部材３’に把持させ、更に、光ファイバ心線Ｂを巻回して余長部Ｂ１を作成し、巻回された余長部Ｂ１を光ファイバ心線トレーＡ’に収容し、光ファイバ心線Ｂの切替や切分け等の作業を終了していた。
【０００４】
【発明が解決しようとする課題】
上述した従来の光ファイバ心線トレーＡ’は、光ファイバ心線Ｂの切替や切分け等の作業毎に、接続部Ｃの箇所を切除することとなり、切除する度に、余長部Ｂ１の光ファイバ心線Ｂは短くなって、接続部Ｃを、所定の接続部保持部３’には取り付けられなくなる。通常一般には、数回程度の光ファイバ心線Ｂの切替や切分け等による切除しかできない。無理に切替や切分作業を行うと、光ファイバ心線Ｂに過度の引張力が加わり、光ファイバ心線Ｂが破断したり、また、余長部Ｂ１の巻径が小径となり、光損失を増大させたり、更は、接続部Ｃの接続部保持部材３’への取り付けができなくなるという問題があった。
【０００５】
本発明の目的は、上述した従来の光ファイバ心線トレーが有する課題を解決するとともに、光ファイバ心線の利用度の向上した光ファイバ心線トレーを提供することにある。
【０００６】
【課題を解決するための手段】
本発明は、上述した目的を達成するために、心線トレー本体と接続部保持部材とを別体とするとともに、心線トレー本体に、接続部保持部材が着脱自在に取り付けられており、且つ、接続部保持部材に、土手部を挟んで、小径の接続部用の接続部嵌入空間部を形成するとともに、土手部の上方に、大径の接続部用の接続部嵌入空間部を形成したものである。
【０００７】
【実施例】
以下に、本発明の実施例について説明するが、本発明の趣旨を越えない限り何ら、本実施例に限定されるものではない。なお、光ファイバ心線トレーに収容される光ファイバ心線や光ファイバ心線の接続部は、特別なものではなく同じであるので、本発明の実施例においても、光ファイバ心線や余長部や接続部の符号は、同じく、Ｂ、Ｂ１及びＣが使用されている。
【０００８】
１は、複数個の孔部２が穿設された、略長方形の底板３を有する心線収納部であり、略長方形の底板３の長辺に沿って、相対する長側壁４、５が形成されている。６は、略長方形の底板３の相対する短辺側に形成された導出入口部であり、導出入口部６には、底板３の長辺に沿って形成された一方の長側壁４に略平行な複数の立壁６ａが立設されており、隣り合う立壁６ａ間には、心線導出入用間隙６ｂが形成されている。隣り合う立壁６ａ間に形成された心線導出入用間隙６ｂは、全て等間隔とすることも、幾つかについては、広い間隙を有するものとすることもできる。
【０００９】
７は、底板３の長辺に沿って形成された長側壁４、５のうち、導出入口部６から遠い方に位置する長側壁５と導出入口部６との間に形成された短側壁部であり、本実施例においては、短側壁部７は、４つの側壁７ａ、７ｂ、７ｃ、７ｄとからなる、上方が開放された箱形に形成されている。
【００１０】
８は、心線カバーであり、心線カバー８は、平板部８ａと、薄肉ヒンジ部８ｂを介して、平板部８ａに連接された保持片８ｃと、保持片８ｃと反対側の平板部８ａに連結された側面形状が略Ｖ字状の嵌入部８ｄと、嵌入部８ｄに連結された平板部８ａと略面一に形成された板状の把持部８ｅとを有している。心線カバー８は、導出入口部６の一方の長側壁４と該長側壁４と隣り合う立壁６ａとの間に形成された間隙９に、保持片８ｃを嵌入することにより、保持されるように構成されている。また、心線カバー８の嵌入部８ｄを、短側壁部７の導出入口部６側の側壁７ｄと、導出入口部６の短側壁部７の側壁７ｄと隣り合う立壁６ａとの間に形成された間隙１０に嵌入することにより、心線カバー８を水平状態に保持することができるように構成されている。このような状態から、心線カバー８の把持部８ｅの下に指を入れて、把持部８ｅを持ち上げることにより、心線カバー８の平板部８ａや嵌入部８ｄを、薄肉ヒンジ部８ｂを中心に、上方に回動することができるように構成されている。
【００１１】
１１は、短側壁部７の側壁７ｃと、該側壁７ｃと隣り合う長側壁５との間に形成された心線導出入用間隙である。このような心線導出入用間隙１１は、必要に応じて形成することも、或いは、省略することもできる。
【００１２】
１２は、長側壁４、５や短側壁部７の上端から、線収納部１方向に略水平に延在する心線留め片であり、線収納部１に巻回状態に収容された光ファイバ心線Ｂの線収納部１から飛び出しを防止する機能を有するものである。
【００１３】
上述した複数個の孔部２が穿設された線収納部１や底板３や長側壁４、５や導出入口部６や短側壁部７や心線カバー８や心線留め片１２等により、光ファイバ心線トレーＡを構成する心線トレー本体Ａ１が構成されている。
【００１４】
次に、図３を用いて、接続部保持部材Ｈについて説明する。
【００１５】
接続部保持部材Ｈは、母線に沿って一部が切除された導入スリットｈ１を有するとともに、所定の長さを有する略円筒状の主部ｈ２を有しており、導入スリットｈ１を構成する相対する端部からは、上方に延在する突状部ｈ３が、相対するように形成されている。導入スリットｈ１の下方に位置する、略円筒状の主部ｈ２の底部ｈ４の上面には、導入スリットｈ１方向に延在する土手部ｈ５が、主部ｈ２の長手方向に沿って形成されている。そして、略円筒状の主部ｈ２と土手部ｈ５とにより、主部ｈ２の側端面ｈ２ａ方向から見た形状が、円柱の略四分の三程度の空間部を有する、接続部Ｃが装着可能な一対の接続部嵌入空間部Ｓ１が形成されており、接続部嵌入空間部Ｓ１に嵌入された接続部Ｃは、略円筒状の主部ｈ２の内壁面ｈ２ｂと、土手部ｈ５の円弧状側面ｈ５ａにより保持されるように構成されている。また、主部ｈ２の底部ｈ４の裏面の略中央部には、上述した心線トレー本体Ａ１の底板３に穿設された孔部２に嵌入可能な柱状の嵌合部ｈ６が垂設されている。上記のような構成を有する接続部保持部材Ｈは、合成樹脂で一体に成形されており、突状部ｈ３を有する主部ｈ２は、ある程度の弾性を有するように構成されている。
【００１６】
上述したような、心線トレー本体Ａ１と接続部保持部材Ｈとにより、本発明の光ファイバ心線トレーＡが構成されている。
【００１７】
次に、図４〜図６を用いて、上述した心線トレー本体Ａ１と接続部保持部材Ｈとからなる光ファイバ心線トレーＡの使用方法について説明する。
【００１８】
光ファイバ心線Ｂは、心線トレー本体Ａ１の両端部に配設された導出入口部６の隣り合う立壁６ａ間に形成された間隙９から、それぞれ、心線トレー本体Ａ１内に入り、心線トレー本体Ａ１に導入された光ファイバ心線Ｂの端部同士は、融着接続され、融着接続された箇所はスリーブで補強されて、略円柱状の接続部Ｃが形成される。また、心線トレー本体Ａ１の底板３に穿設された孔部２には、接続部保持部材Ｈの主部ｈ２の底部ｈ４の裏面に垂設された柱状の嵌合部ｈ６が嵌入されている。
【００１９】
一心の光ファイバ心線Ｂ同士が接続された比較的小径な接続部Ｃ１は、図５に示されているように、突状部ｈ３間に形成されている導入スリットｈ１から接続部保持部材Ｈに入り、その後、上述した接続部保持部材Ｈの主部ｈ２の側端面ｈ２ａ方向から見た形状が、円柱の略四分の三程度の空間部を有する接続部嵌入空間部Ｓ１に嵌入され、略円筒状の主部ｈ２の内壁面ｈ２ｂと、土手部ｈ５の円弧状側面ｈ５ａにより保持されるように構成されている。本実施例においては、接続部嵌入空間部Ｓ１は、土手部ｈ５を挟んで２つ形成されているので、接続部保持部材Ｈには、２個の接続部Ｃ１が保持されるように構成されている。
【００２０】
接続部Ｃが保持されていない状態の接続部保持部材Ｈの嵌合部ｈ６を、適当数、心線トレー本体Ａ１の底板３に穿設された孔部２に嵌入しておき、その後、心線トレー本体Ａ１に配設された接続部保持部材Ｈに、接続部Ｃを保持するように構成することも、或いは、接続部保持部材Ｈを、心線トレー本体Ａ１に配設する前に、接続部保持部材Ｈに接続部Ｃを保持させておき、その後、接続部Ｃが保持された接続部保持部材Ｈの嵌合部ｈ６を、心線トレー本体Ａ１の底板３に穿設された孔部２に嵌入するように構成することもできる。
【００２１】
心線トレー本体Ａ１の両端部に配設された導出入口部６から、それぞれ、心線トレー本体Ａ１に導入された光ファイバ心線Ｂは、対応する導出入口部６側の線収納部１のそれぞれの領域において、巻回されて余長部Ｂ１が形成されることになり、余長部Ｂ１は、上方に移動しても、心線留め片１２により、その移動が阻止され、従って、光ファイバ心線Ｂが、心線トレー本体Ａ１から飛び出るようなことが防止できる。
【００２２】
光ファイバ心線Ｂの切替えや切り分け等を行う場合には、切替や切り分け等を行う所定の光ファイバ心線Ｂの接続部保持部材Ｈの嵌合部ｈ６を、心線トレー本体Ａ１の底板３に穿設された孔部２から抜き出して、所定の光ファイバ心線Ｂの接続部保持部材Ｈを、心線トレー本体Ａ１から取り外すとともに、光ファイバ心線Ｂを余長部Ｂ１から適当な長さ巻き戻す。次いで、取り出された接続部保持部材Ｈの接続部嵌入空間部Ｓ１から接続部Ｃ１を取り出して、その接続部Ｃ１の両端において光ファイバ心線Ｂを切断し、その後、切断した一方の光ファイバ心線Ｂと他の光ファイバ心線Ｂを融着接続して、その接続箇所をスリーブ等で補強して形成された接続部Ｃ１を、再度、接続部保持部材Ｈの接続部嵌入空間部Ｓ１に嵌入するとともに、接続部Ｃ１が保持された接続部保持部材Ｈの嵌合部ｈ６を、心線トレー本体Ａ１の底板３に穿設された孔部２に嵌入することにより、心線トレー本体Ａ１に接続部保持部材Ｈを配設する。また、余長部Ｂ１を形成して、余長部Ｂ１を、対応する導出入口部６側の線収納部１に収容する。
【００２３】
光ファイバ心線Ｂの切替えや切り分け等の作業の際に、光ファイバ心線Ｂや接続部等Ｃに、無理な引張力が加わらないときは、接続部保持部材Ｈの嵌合部ｈ６を、元の位置の孔部２に取り付けてもよいが、光ファイバ心線Ｂや接続部Ｃ等に、無理な引張力が加わったり、元の孔部２に、スムースに接続部保持部材Ｈの嵌合部ｈ６を嵌入できないときは、光ファイバ心線Ｂや接続部Ｃ等に、無理な引張力が加わらない孔部２に、接続部保持部材Ｈの嵌合部ｈ６を嵌入する。
【００２４】
次に、複数心を有する光ファイバ心線Ｂを接続した場合には、その接続部Ｃ２は、上述した１心の光ファイバ心線Ｂを接続した接続部Ｃ１に比べて、大きな外径を有することになる。このような大径の接続部Ｃ２は、図６に示されているように、その下面が、接続部保持部材Ｈの土手部ｈ５の上面ｈ５ｂに載置されるとともに、接続部Ｃ２の両側面が、接続部保持部材Ｈの主部ｈ２の導入スリットｈ１を構成する端面ｈ２ｃ或いは突状部ｈ３に挟持されるか、又は、接続部保持部材Ｈの主部ｈ２の端面ｈ２ｃと突状部ｈ３の両方に挟持されるように構成されている。このように、接続部保持部材Ｈには、土手部ｈ５を挟んで、小径の接続部Ｃ１用の２つの接続部嵌入空間部Ｓ１が形成されているとともに、土手部ｈ５の上方で、且つ、略円筒状の主部ｈ２により挟まれた大径の接続部Ｃ２用の接続部嵌入空間部Ｓ２が形成されている。
【００２５】
心線トレー本体Ａ１の底板３に穿設された孔部２は、図１に示されているように、長側壁４、５に沿って、所定の間隔で複数形成するとともに、長側壁４、５に対して直角方向に、所定の間隔で複数形成することもできるし、底板３の中央領域にのみに形成することもできる。また、孔部２の形状は、円形に限らず、楕円や方形や多角形に形成することもできる。また、接続部保持部材Ｈに形成された柱状の嵌合部ｈ６は、上記の孔部２の形状に嵌入されるような形状の柱状体に形成されることになる。接続部保持部材Ｈが、心線トレー本体Ａ１に対して回転することが好ましくない場合には、例えば、孔部２を方形とし、嵌合部ｈ６を、方形状の孔部２に嵌入可能な角柱に形成する。
【００２６】
また、上述した実施例には、接続部保持部材Ｈに、１個の嵌合部ｈ６が形成されている例が示されているが、上述した心線トレー本体Ａ１の底板３に穿設された孔部２の間隔に対応して、２個以上の複数の嵌合部ｈ６を形成することもできる。この場合には、接続部保持部材Ｈが、心線トレー本体Ａ１に対して回転するようなことはないので、孔部２を円形とし、嵌合部ｈ６を円柱に形成することもできる。
【００２７】
上述したように、心線トレー本体Ａ１と接続部保持部材Ｈとを、別体に構成するとともに、心線トレー本体Ａ１に穿設された孔部２に、接続部保持部材Ｈに形成された嵌合部ｈ６を嵌入するように構成し、心線トレー本体Ａ１に、接続部保持部材Ｈを、着脱自在に取り付けるように構成したので、接続部保持部材Ｈに取り付けられた接続部Ｃを、心線トレー本体Ａ１の任意の位置に取り付けることができ、従って、光ファイバ心線Ｂや接続部Ｃ等に、無理な引張力が加わるようなことを防止することができる。
【００２８】
また、接続部保持部材Ｈには、土手部ｈ５を挟んで、小径の接続部Ｃ１用の２つの接続部嵌入空間部Ｓ１が形成されているとともに、土手部ｈ５の上方で、且つ、略円筒状の主部ｈ２により挟まれた大径の接続部Ｃ２用の接続部嵌入空間部Ｓ２が形成されているので、外径の異なる光ファイバ心線Ｂの接続部Ｃを保持することができる。
【００２９】
【発明の効果】
本発明は、以上説明したように構成されているので、以下に記載されるような効果を有する。
【００３０】
心線トレー本体と接続部保持部材とを別体とするとともに、心線トレー本体に、接続部保持部材を、着脱自在に取り付けるように構成したので、光ファイバ心線や接続部等に、無理な引張力が加わるようなことを防止することができる。
【００３１】
接続部保持部材に、土手部を挟んで、小径の接続部用の接続部嵌入空間部を形成するとともに、土手部の上方に、大径の接続部用の接続部嵌入空間部を形成したので、外径の異なる光ファイバ心線の接続部を保持することができる。
【図面の簡単な説明】
【図１】図１は本発明の光ファイバ心線トレーの分解斜視図である。
【図２】図２は本発明の光ファイバ心線トレーを構成する心線トレー本体の部分分解斜視図である。
【図３】図３は本発明の光ファイバ心線トレーを構成する接続部保持部材の斜視図である。
【図４】図４は本発明の光ファイバ心線トレーの平面図である。
【図５】図５は本発明の光ファイバ心線トレーを構成する接続部保持部材の光ファイバ心線が嵌入された状態の側断面図である。
【図６】図６は同じく本発明の光ファイバ心線トレーを構成する接続部保持部材の光ファイバ心線が嵌入された状態の側断面図である。
【図７】図７は従来の光ファイバ心線トレーの斜視図である。
【符号の説明】
Ａ・・・・・・・・・・光ファイバ心線トレー
Ｂ・・・・・・・・・・光ファイバ心線
Ｂ１・・・・・・・・・余長部
Ｃ・・・・・・・・・・接続部
Ｈ・・・・・・・・・・接続部保持部材
Ｓ１、Ｓ２・・・・・・接続部嵌入空間部
２・・・・・・・・・・孔部
４、５・・・・・・・・長側壁
６・・・・・・・・・・導出入口部
７・・・・・・・・・・短側壁部
【図１】
0003863449.tif 000002
【図２】
0003863449.tif 000003
【図３】
0003863449.tif 000004
【図４】
0003863449.tif 000005
【図５】
0003863449.tif 000006
【図６】
0003863449.tif 000007
【図７】
0003863449.tif 000008